(57)【要約】      （修正有）【課題】介護用歩行器に被介護人がベットの座接状態から介護用歩行器に安全に乗り移り、かつ元の状態に容易に戻り易くなるように形成される介護用歩行器の座面シートの回動機構構造体を提供する。【解決手段】上部フレーム１７を覆う化粧カバー１のボタン材２を押すことにより回動板３が回動し、回動板３に係止しているロッド４が上方に移動し、これにより、ロッド４が下部フレーム１５の凹溝２７より拘束が解除され座面シートが回動出来、被介護人の介護用歩行器への乗り降りが容易にできる。【選択図】図５
0003203838.tif 000002
【実用新案登録請求の範囲】
【請求項１】
ベットに座接可能な被介護人が自力で希望する場所に移動出来る介護用歩行器の構成部材の１つであり前記被介護人がベットから前記介護用歩行器に移動して座接するために使用する座面シートの座接用クッション板を被介護人が乗り易い位置に回動するための回動機構構造であって、該回動機構構造は、前記介護用歩行器の構成部材であって介護用歩行器の本体側のスイングフレームに挿脱される座接用サイドフレームに設置されてるものからなり、前記座接用サイドフレームの上部支持体を覆う化粧カバーの先端側に上下移動可能に配置されるボタン材と、該ボタン材にその先端側を当接しその中間部を前記座接用サイドフレームの構成部材の上部支持体に設けた突出ピンに挿入されて保持され後方に向かって伸延する部材でその先端部に係止用の係止溝を形成する板状の回動板と、前記上部支持体とこれとクロス材を介して併設される下部支持体間に配設されその上部を前記回動板の係止溝に係着し下端部を前記下部支持体に挿入されていて前記スイングフレームに固持されている下部フレームの先端部に形成されている凹溝に係止して配置されているロッドと、該ロッドを下方側に押圧すべく前記ロッドに挿入されその上端を上部支持体の下面と当接して配置されるスプリングとからなり、前記ボタン材を下方に押圧することにより前記回動板の前記係止溝が上方側に移動して前記ロッドをスプリング力に抗して上方に引き上げて前記ロッドの下端を下部フレームの前記凹溝から開放する位置に移動すべく構成されるものからなる事を特徴とする介護用歩行器の座面シートの回動機構構造体。
【考案の詳細な説明】
【技術分野】
【０００１】  本考案は、介護用歩行器に設けられ被介護人が自力で座接すべく形成されている介護用歩行器の座面シートの回動機構構造体に関する。
【背景技術】
【０００２】  本考案はベットに座接可能な被介護人が前記介護用歩行器に自力で移動出来るために考案された回動機構構造体であるがこれと類似する回動機構は出願人の調査では見出す事が出来ず参考までに「特許文献１」を表示した。
【先行技術文献】
【特許文献】
【０００３】
【特許文献１】特開平７−３０４３６２号（図１）
【考案の概要】
【考案が解決しようとする課題】
【０００４】  前記のように「特許文献１」の「特開平７−３０４３６２号」の「シート回動機構」はスプリングを用いてシートを回動する構造であり、本考案とは相違するものであるが他に類似する回動機構は見当らない。
本考案の回動機構はベットに座接している被介護人が自力で自分の希望する場所に自力で移動出来るようにした歩行器であり、この歩行器では被介護人がベットからこの介護用歩行器に移動する場合には被介護人の座接する座面シートの座接用クッション板が外方に回動する事が必要でありそのために考案されたものが本考案である。なお、本考案の回動機構は被介護人が自分で容易に操作出来る事が必要であり、その点を重視して考案されたものである。従って、背景技術として本考案の如きものが存在するかも知れないが被介護人が使用する歩行器には類似する機構の回動機構は見当らないと本考案の出願人は思考している。
よって、本考案の出願人は被介護人が容易に操作出来、介護用歩行器に被介護人が簡単に移動座接出来るようにした回動機構構造体を考案したものである。
【課題を解決するための手段】
【０００５】  本考案は、以上の必要性に鑑みて考案したものであり、請求項１の考案は、ベットに座接可能な被介護人が自力で希望する場所に移動出来る介護用歩行器の構成部材の１つであり前記被介護人がベットから前記介護用歩行器に移動して座接するために使用する座面シートの座接用クッション板を被介護人が乗り易い位置に回動するための回動機構構造であって、該回動機構構造は、前記介護用歩行器の構成部材であって介護用歩行器の本体側のスイングフレームに挿脱される座接用サイドフレームに設置されてるものからなり、前記座接用サイドフレームの上部支持体を覆う化粧カバーの先端側に上下移動可能に配置されるボタン材と、該ボタン材にその先端側を当接しその中間部を前記座接用サイドフレームの構成部材の上部支持体に設けた突出ピンに挿入されて保持され後方に向かって伸延する部材でその先端部に係止用の係止溝を形成する板状の回動板と、前記上部支持体とこれとクロス材を介して併設される下部支持体間に配設されその上部を前記回動板の係止溝に係着し下端部を前記下部支持体に挿入されていて前記スイングフレームに固持されている下部フレームの先端部に形成されている凹溝に係止して配置されているロッドと、該ロッドを下方側に押圧すべく前記ロッドに挿入されその上端を上部支持体の下面と当接して配置されるスプリングとからなり、前記ボタン材を下方に押圧することにより前記回動板の前記係止溝が上方側に移動して前記ロッドをスプリング力に抗して上方に引き上げて前記ロッドの下端を下部フレームの前記凹溝から開放する位置に移動すべく構成されるものからなる事を特徴とする。
【考案の効果】
【０００６】  本考案の請求項１の介護用歩行器の座面シートの回動機構構造体によれば、介護用歩行器を使用しようとした被介護人はベットに座接したままで本考案の回動機構構造体のボタン材を押すだけで座面シートの座接用クッション板が外方に回動することが出来る。このためベットから被介護人の介護用歩行器への移設が簡単に出来るようになる。本考案はそのような効果を願うものであり、構造簡単で操作性の良い効果を上げることが出来る。
【図面の簡単な説明】
【０００７】
【図１】本考案が適用される介護用歩行器の概要構造を示す斜視図。
【図２】本考案の回動機構構造体の動作を示す操作用の正面図で（ａ）は座接用クッション板を外方に開いた状態（ｂ）は元の位置に戻した状態。
【図３】座面シートの座接用サイドフレームと座接用クッション板を示す斜視図。
【図４】本考案の回動機構構造体の構成部材を示すもので、図の（ａ）は化粧カバーの斜視図、図の（ｂ）は化粧カバー図（ａ）のＡ矢視図、図（ｃ）はボタン材の斜視図、図（ｄ）は回動板の斜視図、図（ｅ）はロッド、図（ｆ）はロッドに挿入されるスプリングを示す側面図。
【図５】本考案の回動機構構造体の全体構造とその配置を示す側断面図。
【図６】本考案の回動機構構造体の開放時における動作を示す側断面図。
【考案を実施するための形態】
【０００８】  以下、本考案の介護用歩行器の座面シートの回動機構構造体の実施の形態を図面を参照して詳述する。
【実施例】
【０００９】  図１は本考案の介護用歩行器の座面シートの回動機構構造体が装着されている介護用歩行器の全体構造を示すものである。キャスタ６を有する左右のベースフレーム７，７はクロスフレーム８により連結されＨ型のフレームを形成する。このベースフレーム７，７にはベース板９を有する左右の２本のスイングフレーム１０，１０が回動可能に立設している。このスイングフレーム１０，１０は更に詳細の構造のものからなり、その高さも調整出来るものであるがここではその構造説明は省略する。
スイングフレーム１０，１０には同一形状の座面シート１１が挿脱可能に取り付けられている。この座面シート１１は図２に示すように回動式のものからなり、図２（ａ）は被介護人１２が介護用歩行器に乗り降りする時の状態を示すものであり座面シート１１が外側に向かって開いた（回動した）状態を示すものである。本考案は後に説明するがこの座面シート１１を回動するためのものである。また、図２（ｂ）は被介護人１２が介護用歩行器に乗った状態を示すものであり、被介護人１２はこの状態で自分の希望する場所に自由に移動することが出来る。【００１０】  図３は介護用歩行器における座面シート１１の概要構造を示すものである。座面シート１１は座接用サイドフレーム１３とこれに片持ち状態で固定されている座接用クッション板１４とからなる。
座面シート１１の座接用サイドフレーム１３は、下部フレーム１５との前後から立設するクロス材１６の上方に下部フレーム１５と併設して配置される上部フレーム１７とからなる。下部フレーム１５には座接用クッション板１４が片持ち支持されている。【００１１】  上部フレーム１７には孔１８と突出ピン１９と前側のクロス材の上方の位置に設けられている貫通孔２０が設けられ下部フレーム１５には上部フレーム１７の貫通孔２０を同一位置において設けられている貫通孔２１が夫々設けられている。なお、図３には図示されていないが図１に示すように上部フレーム１７には化粧カバー１がこれを覆って設けられている。【００１２】  図５に示すようにスイングフレーム１０には上部支持体２２と下部支持体２３とが固持され上部支持体２２のピン２４は上部フレーム１７の孔１８に挿入される。一方、下部支持体２３には係着体２５が設けられ、この係着体２５は下部フレーム１５の貫通孔２６に挿入される。なお、突出ピン１９と係着体２５は座面シート１１の保持と挿着に使用されるものであるがここではその説明を省略する。また、下部フレーム１５にはその後端にロッド４の係止する凹溝２７が形成されている。【００１３】  図４は本考案の介護用歩行器の座面シートの回動機構構造体１００の構成部品を示すものである。この構成部材としては図４の（ａ），（ｂ）に示す化粧カバー１と（ａ）に示すボタン材２と（ｄ）に示す回動板３と（ｅ）に示すロッド４と（ｆ）に示すスプリング５が示されている。【００１４】  化粧カバー１は前記したように座面シート１１の上部フレーム１７を覆うと共にこれに固定されるものであり、その前方側にはボタン材２が上下動可能に挿入される四角孔１ａが貫通形成されている。【００１５】  ボタン材２は角体状のものからなり、前記したように化粧カバー１の四角孔１ａ内に挿入されるものであり、その下面側には後に説明する回動板３を係止する係止部２ａが形成されている。【００１６】  回動板３は板状のものからなり、その前端側はボタン材２に係止する形状のものからなり、中間部には上部フレーム１７の突出ピン１９の挿入される貫通孔３ａが設けられ、後端には後に説明するロッド４の上端部の溝４ａが係止する支持体４ｂが形成されている。【００１７】  ロッド４は細長の棒体からなり上部フレーム１７の貫通孔２０と下部フレーム１５の貫通孔２１に挿入されるものからなる。その上端側には前記したように回動板３の係止溝３ｂに係止される溝４ａが形成され、中間部にはスプリング５の下端が当接する支持体４ｂがロッド４の長手方向に移動可能に固持されている。【００１８】  スプリング５はロッド４を弾性支持するものでロッド４の支持体４ｂと図５に示すように下部フレーム１５の下面との間に取り付けられ回動板３の係止溝３ｂに係止しているロッド４を弾性支持するものからなる。【００１９】  図５は介護用歩行器の座面シートの回動機構構造体の取り付け状態を示すものである。化粧カバー１により覆われている上部フレーム１７の前端側には回動板３が突出ピン１９に貫通孔３ａを挿入された状態で搭載されている。
前記したように回動板３の前端側にはボタン材２が当接して配置されている。また、回動板３の後端側にはロッド４が係止して垂下支持されている。なお、ボタン材２を作用しない状態ではロッド４の下端は下部フレーム１５の貫通孔２１を貫通し、下部支持体２３の凹溝２７に係止する状態で保持される。【００２０】  図６に示すように、回動板３の前端側をボタン材２によって下方に押すと回動板３は回動しその後端側の係止溝３ｂの部分を上方に持ち上げる。これにより、係止溝３ｂに係止しているロッド４の溝４ａが上昇しロッド４全体がスプリング５に抗して持ち上りロッド４の下端が下部支持体２３の凹溝２７から開放される。以上により座面シート１１は回動可能となり、座接用サイドフレーム１３及びこれに固定している座接用クッション板１４が回動可能となり、図２（ａ）に示した状態となる。座面シート１１がこの状態になるとベット上に座接していた被介護人１２はベットから介護用歩行器側に容易に移動出来、座面シート１１の座接用クッション板１４に尻部を座接することが出来る。勿論、この場合図（ｂ）に示すように座面シート１１は元の位置に回動させて戻すことが必要になる。【００２１】  以上の動作により介護用歩行器に座接した被介護人１２は自力で自分の希望する場所に移動する事が出来る。また、その場所が便所の場合には座面シート１１を外方に回動し、便器に座接して用便をすることが可能になる。また、ベットに戻る場合は図２（ｂ）の状態から図２（ａ）の状態にしてベット上に自力で移動する事が出来る。【００２２】  本考案は以上の説明の内容からなるが、その内容は以上のものに限定するものではなく、同一技術的範疇のものが適用される事は勿論である。
【産業上の利用可能性】
【００２３】  本考案の介護用歩行器の座面シートの回動機構構造体は実施例に示した介護用歩行器に付設したものであるが、回動を必要とする他の器具にも適用可能であり、その利用範囲は広い。
【符号の説明】
【００２４】  １      化粧カバー
１ａ    四角孔
２      ボタン材
２ａ    係止部
３      回動板
３ａ    貫通孔
３ｂ    係止溝
４      ロッド
４ａ    溝
４ｂ    支持体
５      スプリング
６      キャスタ
７      ベースフレーム
８      クロスフレーム
９      ベース板
１０    スイングフレーム
１１    座面シート
１２    被介護人
１３    座接用サイドフレーム
１４    座接用クッション板
１５    下部フレーム
１６    クロス材
１７    上部フレーム
１８    孔
１９    突出ピン
２０    貫通孔
２１    貫通孔
２２    上部支持体
２３    下部支持体
２４    ピン
２５    係着体
２６    貫通孔
２７    凹溝
１００  介護用歩行器の座面シートの回動機構構造体
【図１】
0003203838.tif 000003
【図２】
0003203838.tif 000004
【図３】
0003203838.tif 000005
【図４】
0003203838.tif 000006
【図５】
0003203838.tif 000007
【図６】
0003203838.tif 000008